(57)【要約】【課題】一連商品の追加、バリエーションの追加あるいはこれらの減少に対応して展示商品群数の増減が容易な商品陳列台を得る。【解決手段】第一商品陳列台１と第二商品陳列台４からなる可分割商品陳列台８である。第一商品陳列台１は、平板の第一表基材１１と第一表基材の裏面１３に形成され第一表基材の上下方向９２を長手方向とする管状の第一補強部材１４２を有し、第一補強部材の下方部分は第一受容管１５２である。第二商品陳列台４は、平板の第二表基材４１と第二表基材の裏面４３に形成され第二表基材の上下方向９２を長手方向とする第二補強部材４４２を有し、第二補強部材が第二表基材の上辺４７よりも上方に延伸されていて、前記延伸部分である第二差込み部４６２を形成する。第一受容管１５２に第二差込み部４６２を挿嵌して第一商品陳列台１と第二商品陳列台４が連結される。【選択図】図１
2010125031.tif 000002
【特許請求の範囲】
【請求項１】
第一商品陳列台と第二商品陳列台からなる可分割商品陳列台であって、
第一商品陳列台は、平板の第一表基材と第一表基材の裏面に形成され第一表基材の上下方向を長手方向とする管状の第一補強部材を有し、第一補強部材の下方部分は第一受容管であり、
第二商品陳列台は、平板の第二表基材と第二表基材の裏面に形成され第二表基材の上下方向を長手方向とする第二補強部材を有し、第二補強部材が第二表基材の上辺よりも上方に延伸されていて、前記延伸部分である第二差込み部を形成し、
第一受容管に第二差込み部を挿嵌して第一商品陳列台と第二商品陳列台が連結される可分割商品陳列台。
【請求項２】
第一補強部材は第一裏基材を折り曲げて形成される中空三角柱状であり、
第一裏基材は、第一貼付け部と、第一貼付け部から横方向に順に第一折り曲げ線、第一外面壁部、第二折り曲げ線、第一内面壁部、第三折り曲げ線、第一底面壁部と第一底面壁端辺を有し、
第一貼付け部を第一表基材の裏面に貼付け、第一折り曲げ線、第二折り曲げ線と第三折り曲げ線を折り曲げて、第一底面壁端辺を第一折り曲げ線に当接して第一貼付け部に第一底面壁部を貼付けることにより第一補強部材を形成したものであり、
第二補強部材は第二裏基材を折り曲げて形成される中空三角柱状であり、
第二裏基材は、第二貼付け部と、第二貼付け部より横方向に順に第四折り曲げ線、第二外面壁部、第五折り曲げ線、第二内面壁部、第六折り曲げ線、第二底面壁部と第二底面壁端辺を有し、
第二貼付け部を第二表基材の裏面に貼付け、第四折り曲げ線、第五折り曲げ線と第六折り曲げ線を折り曲げて、第二底面壁端辺を第四折り曲げ線に当接して第二貼付け部に第二底面壁部を貼付けることにより、第二補強部材を形成したものであることを特徴とする請求項１に記載した可分割商品陳列台。
【請求項３】
第一商品陳列台は、２の第一補強部材を有し、
第一補強部材は第一裏基材を折り曲げて形成される三角柱状であり、
第一裏基材は、第一貼付け部と、第一貼付け部の左右方向にそれぞれに順に第一折り曲げ線、第一外面壁部、第二折り曲げ線、第一内面壁部、第三折り曲げ線、第一底面壁部と第一底面壁端辺を有し、
第一貼付け部を第一表基材の裏面に貼付け、各々の第一折り曲げ線、第二折り曲げ線と第三折り曲げ線を折り曲げて、第一底面壁端辺を第一折り曲げ線に当接して第一貼付け部に第一底面壁部を貼付けることにより２の第一補強部材を形成したものであり、
第二商品陳列台は、２の第二補強部材を有し、
第二補強部材は第二裏基材を折り曲げて形成される三角柱状であり、
第二裏基材は、第二貼付け部と、第二貼付け部の左右方向にそれぞれに順に第四折り曲げ線、第二外面壁部、第五折り曲げ線、第二内面壁部、第六折り曲げ線、第二底面壁部と第二底面壁端辺を有し、
第二貼付け部を第二表基材の裏面に貼付け、各々の第四折り曲げ線、第五折り曲げ線と第六折り曲げ線を折り曲げて、第二底面壁端辺を第四折り曲げ線に当接して第二貼付け部に第二底面壁部を貼付けることにより、２の第二補強部材を形成したものであることを特徴とする請求項１に記載した可分割商品陳列台。
【請求項４】
第一表基材と第二表基材は同一厚さの板状体で作られ、
第一裏基材と第二裏基材は同一厚さの板状体で作られていて、かつ、第二表基材と第二貼付け部の間に、第一裏基材と同一厚さの板状体で製作した２の調整板を重ねて貼付けたことを特徴とする請求項２乃至３いずれかに記載した可分割商品陳列台。
【請求項５】
第一補強部材の下端面と第一表基材の裏面が作る角度が３０度以上８０度以下であり、
第二差込み部の上端面と第二表基材の裏面を延長した平面が作る角度が３０度以上８０度以下であることを特徴とする請求項１乃至４いずれかに記載した可分割商品陳列台。
【請求項６】
第一表基材、第一裏基材、第二表基材と第二裏基材のいずれもが紙素材で作られていることを特徴とする請求項１乃至５いずれかに記載した可分割商品陳列台。
【発明の詳細な説明】
【技術分野】
【０００１】
本発明は、平板状の基材に複数の商品を展示し、これを販売店の店頭に吊り下げたり、棚に載置したりするなどして、商品を展示する商品陳列台に関する。
【背景技術】
【０００２】
従来の商品陳列台は、単一の基材に、商品を複数挿入して展示する商品受け部を一定数設置している（例えば、特許文献１参照。）。
【特許文献１】実開平５−３７１７１号公報
【発明の開示】
【発明が解決しようとする課題】
【０００３】
商品は、色、柄、香り、味などを変化させ、一連の商品として販売されることが多い。例えば、菓子類、化粧品、日用雑貨品などである。そして、一連の商品は、特定商品発売時にバラエティー商品全てを揃えて同時発売開始される場合があり、あるいは、一部商品を先行販売し、先行商品の売行きを判断して、バラエティー商品の追加、削減が行われることもある。
【０００４】
これら一連の商品は、単一の商品陳列台上に展示されていれば、顧客の商品選択にあたり便利であり、また、販売側では一連の商品全体として顧客吸引力がより一層強まる効果が期待できる。
【０００５】
従来の商品陳列台は、商品受け部の数が一定であるため、後からバリエーションの商品を追加することができない。例えば、発売当初４色の外装で始めたライターに、後日他の四色の外装を加えた場合に、元の商品陳列台に合計８色のライターを追加することは不可能である。
【０００６】
この場合、発売当初などより使用している商品陳列台に、商品受け部を取り付けた追加基材を付着することも考えられるが、粘着テープ止めなどでは、基材の折れ曲がりも発生し、美観を損ねるものに成り易い。
【０００７】
そこで、本発明は一連商品の追加、バリエーションの追加あるいはこれらの減少に対応して、展示商品群数の増減が容易な商品陳列台を得ることを課題とする。
【０００８】
本発明のその他の課題は、本発明の説明により明らかになる。
【課題を解決するための手段】
【０００９】
以下に課題を解決する手段を説明する。理解を容易にするために、本発明の実施態様に対応する符号を付けて説明するが、本発明は当該実施態様に限定されるものではない。
【００１０】
本発明の一の態様にかかる可分割商品陳列台は、
第一商品陳列台（１）と第二商品陳列台（４）からなる可分割商品陳列台（８）であって、
第一商品陳列台（１）は、平板の第一表基材（１１）と第一表基材の裏面（１３）に形成され第一表基材の上下方向（９２）を長手方向とする管状の第一補強部材（１４２）を有し、第一補強部材の下方部分は第一受容管（１５２）であり、
第二商品陳列台（４）は、平板の第二表基材（４１）と第二表基材の裏面（４３）に形成され第二表基材の上下方向（９２）を長手方向とする第二補強部材（４４２）を有し、第二補強部材が第二表基材の上辺（４７）よりも上方に延伸されていて、前記延伸部分である第二差込み部（４６２）を形成し、
第一受容管（１５２）に第二差込み部（４６２）を挿嵌して第一商品陳列台（１）と第二商品陳列台（４）が連結される。
【００１１】
本発明の好ましい実施態様にあって、本発明にかかる可分割商品陳列台は、
第一補強部材は第一裏基材（２１）を折り曲げて形成される中空三角柱状であり、
第一裏基材（２１）は、第一貼付け部（２２）と、第一貼付け部から横方向に順に第一折り曲げ線（２３２）、第一外面壁部（２４２）、第二折り曲げ線（２５２）、第一内面壁部（２６２）、第三折り曲げ線（２７２）、第一底面壁部（２８２）と第一底面壁端辺（２９２）を有し、
第一貼付け部（２２）を第一表基材の裏面（１３）に貼付け、第一折り曲げ線、第二折り曲げ線と第三折り曲げ線を折り曲げて、第一底面壁端辺（２９２）を第一折り曲げ線（２３２）に当接して第一貼付け部（２２）に第一底面壁部（２８２）を貼付けることにより第一補強部材（１４２）を形成したものであり、
第二補強部材は第二裏基材（５１）を折り曲げて形成される中空三角柱状であり、
第二裏基材（５１）は、第二貼付け部（５２）と、第二貼付け部より横方向に順に第四折り曲げ線（５３２）、第二外面壁部（５４２）、第五折り曲げ線（５５２）、第二内面壁部（５６２）、第六折り曲げ線（５７２）、第二底面壁部（５８２）と第二底面壁端辺（５９２）を有し、
第二貼付け部（５２）を第二表基材の裏面（４３）に貼付け、第四折り曲げ線、第五折り曲げ線と第六折り曲げ線を折り曲げて、第二底面壁端辺（５９２）を第四折り曲げ線（５３２）に当接して第二貼付け部（５２）に第二底面壁部（５８２）を貼付けることにより、第二補強部材（４４２）を形成したものであってもよい。
【００１２】
本好ましい実施態様によれば、主として第一裏基材と第二裏基材の切断と各々の折り曲げ線の予備形成によって、第一受容管である第一補強部材の内側断面である三角形の大きさと形状及び、第二差込み部である第二補強部材の外側断面の大きさと形状が決定される。このため、製作が容易で、不良品発生が抑制される可分割商品陳列台となる。上記の作用は、厚紙を用いて可分割商品陳列台を製作した場合に、特に著しい作用となって現れる。
【００１３】
本発明の他の好ましい実施態様にあって、本発明にかかる可分割商品陳列台は、
第一商品陳列台は、２の第一補強部材を有し、
第一補強部材は第一裏基材を折り曲げて形成される三角柱状であり、
第一裏基材は、第一貼付け部と、第一貼付け部の左右方向にそれぞれに順に第一折り曲げ線、第一外面壁部、第二折り曲げ線、第一内面壁部、第三折り曲げ線、第一底面壁部と第一底面壁端辺を有し、
第一貼付け部を第一表基材の裏面に貼付け、各々の第一折り曲げ線、第二折り曲げ線と第三折り曲げ線を折り曲げて、第一底面壁端辺を第一折り曲げ線に当接して第一貼付け部に第一底面壁部を貼付けることにより２の第一補強部材を形成したものであり、
第二商品陳列台は、２の第二補強部材を有し、
第二補強部材は第二裏基材を折り曲げて形成される三角柱状であり、
第二裏基材は、第二貼付け部と、第二貼付け部の左右方向にそれぞれに順に第四折り曲げ線、第二外面壁部、第五折り曲げ線、第二内面壁部、第六折り曲げ線、第二底面壁部と第二底面壁端辺を有し、
第二貼付け部を第二表基材の裏面に貼付け、各々の第四折り曲げ線、第五折り曲げ線と第六折り曲げ線を折り曲げて、第二底面壁端辺を第四折り曲げ線に当接して第二貼付け部に第二底面壁部を貼付けることにより、２の第二補強部材を形成したものであってもよい。
【００１４】
本好ましい実施態様によれば、主として第一裏基材と第二裏基材の切断と各々の折り曲げ線の予備形成によって、一対の第一受容管の間隔が決定され、及び、一対の第二差込み部の間隔が決定されるとともに、上記と同様に、第一受容管の内側断面である三角形の大きさと形状及び、第二差込み部の外側断面の大きさと形状が決定される。このため、より一層、製作が容易で、不良品発生が抑制される可分割商品陳列台となる。上記の作用は、厚紙を用いて可分割商品陳列台を製作した場合に、特に著しい作用となって現れる。
【００１５】
本発明のさらに他の好ましい実施態様にあって、本発明にかかる可分割商品陳列台は、
第一表基材と第二表基材は同一厚さの板状体で作られ、
第一裏基材と第二裏基材は同一厚さの板状体で作られていて、かつ、第二表基材と第二貼付け部の間に、第一裏基材と同一厚さの板状体で製作した２の調整板を重ねて貼付けたものであってもよい。
【００１６】
本好ましい実施態様によれば、同一素材を各々の裏基材と調整板の素材に使用するという容易な手段により、可分割商品陳列台において、第一商品陳列台と第二商品陳列台の表面が一致する。
【００１７】
本発明のさらにその他の好ましい実施態様にあって、本発明にかかる可分割商品陳列台は、
第一補強部材の下端面と第一表基材の裏面が作る角度が３０度以上８０度以下であり、
第二差込み部の上端面と第二表基材の裏面を延長した平面が作る角度が３０度以上８０度以下であってもよい。
【００１８】
本好ましい実施態様によれば、第一受容管と第二差込み部の挿嵌操作が容易となり、第一商品陳列台と第二商品陳列台の接続が容易となる。
【００１９】
本発明のその他の好ましい実施態様にあって、本発明にかかる可分割商品陳列台は、
第一表基材、第一裏基材、第二表基材と第二裏基材のいずれもが紙素材で作られていてもよい。
【００２０】
本好ましい実施態様によれば、可分割商品陳列台は素材面からも一層環境にやさしいものとなる。同時に販売店にあっても不用品の分別廃棄が容易となる効果がある。
【００２１】
以上説明した本発明、本発明の好ましい実施態様、これらに含まれる構成要素は可能な限り組み合わせて実施することができる。
【発明の効果】
【００２２】
本発明の可分割商品陳列台は、その他の構成とともに、第一受容管に第二差込み部を挿嵌して第一商品陳列台と第二商品陳列台が連結されるので、展示商品群数の増減に応じて、容易に陳列台の商品展示手段を増減できる。ひいては商品陳列台の一部分の新規製作（または廃棄）となり、全体の作り直しが減少するので環境にやさしい商品陳列台となる。
【００２３】
また、本発明の可分割商品陳列台は、その他の構成とともに、第一補強部材の一部分を第一受容管として活用し、第二補強部材を延伸して第二差込み部としている。第一と第二の補強部材は、従来から、商品陳列台の構成部分として付属しているものであるから、格別の手段を付加することなく、連結と分割が行えるものである。同時に、第一と第二の補強部材は、文字通り補強のための部材であり堅牢かつ耐久性があるから、これを連結手段に用いる可分割商品陳列台は、堅牢でかつ耐久性に富む。
【発明を実施するための最良の形態】
【００２４】
以下、図面を参照して本発明の実施例にかかる可分割商品陳列台をさらに説明する。本発明の実施例に記載した部材や部分の寸法、材質、形状、その相対位置などは、とくに特定的な記載のない限りは、この発明の範囲をそれらのみに限定する趣旨のものではなく、単なる説明例にすぎない。
【００２５】
図１は第一の可分割商品陳列台８を裏面側から見た分解斜視図である。図２は第一の可分割商品陳列台８の側面説明図であり、図３は脚部６７を開いて自立状態にある第一の可分割商品陳列台８の側面説明図である。
【００２６】
図４は第一の可分割商品陳列台８と長尺の第一商品陳列台２の正面図である。図５は第二の可分割商品陳列台９の正面図である。
【００２７】
図６は第一表基材１１の平面図であり、図７は第一裏基材２１の平面図である。図８は第二表基材４１の平面図である。図９は第二裏基材５１の平面図である。
【００２８】
図１０は閂板６６の平面図であり、図１１は調節板６１の平面図である。図１２は第一受容管と第二差込み部の高さの関係を説明するための模式図である。図１２は模式説明図であり、実施例に現れる断面や端面などを図示したものではない。図１３は第一受容管の下端と第二差込み部の上端を説明する断面図である。
【００２９】
図１などを参照して、本発明にかかる可分割商品陳列台である第一の可分割商品陳列台８は短尺の第一商品陳列台１と第二商品陳列台４から構成される。
【００３０】
第一商品陳列台１は、平板の第一表基材１１と第一表基材の裏面１３に形成された管状の第一補強部材１４２を有している。
【００３１】
第一補強部材１４２は長手の部材であり、第一表基材１１の上下方向を長手方向として設けられている。図１及び図６、７、８、９と１３中に矢印９２で示す方向が、第一表基材１１（及び後に説明する第二表基材）の上下方向であり、上を矢９３で示している。
【００３２】
第一補強部材１４２の下方部分は第一受容管１５２である。
【００３３】
第二商品陳列台４は、平板の第二表基材４１と第二表基材の裏面４３に形成された第二補強部材４４２を有している。第二補強部材４４２は長手の部材であり、第二表基材の上下方向を長手方向として設けられている。
【００３４】
第二補強部材４４２は第二表基材４１の上辺４７よりも上方に延伸されている。すなわち、第二表基材の裏面に載置されている部分の断面形状を保って、素材に切れ目なく、上方向に突出している。延伸部分は第二差込み部４６２を形成している。
【００３５】
第一補強部材１４２と第二補強部材４４２は、従来、第一表基材１３や第二表基材４１の反り止めや、重量などに由来する変形を防止する目的で使用されている。従来、補強部材は重量や材料の削減などの理由で、管状部材が用いられている。すなわち、断面の形状が、三角、四角、半円、半楕円などであり、中空である。本発明にかかる第一補強部材はこのような従来の管状部材を用いることができる。特に、断面が三角形の管状部材が好ましい。
【００３６】
第二補強部材は必ずしも中空である必要はない。このため、断面の中央部が中空のあるいは中央部も素材が詰まった三角、四角、半円、半楕円などであってもよい。もっとも、断面の中央部が中空であることが好ましい。
【００３７】
また、第二補強部材が第一補強部材の中に挿嵌されればよいので、第一補強部材の内面断面と第二補強部材の外面断面の形状が一致しなくてもよい。もっとも、挿嵌状態の堅牢さの観点から、第一補強部材の内面断面と第二補強部材の外面断面の形状が一致し、かつ密接状態に挿嵌される相互の大きさであることが特に好ましい。
【００３８】
可分割商品陳列台８を構成する第一表基材１１と第二表基材４１は、紙板や合成樹脂板などで作られる。第一補強部材１４２、第二補強部材４４２と脚部６７などは、紙板、合成樹脂板やアルミニウムなどの金属板などで作られる。全てを紙素材で作ると環境にやさしく、かつ、販売店での廃棄が容易になる。
【００３９】
図２などを参照して、第一の可分割商品陳列台８は第二裏基材５１を貫通する棒受け穴７２と第二表基材４１を貫通する棒受け穴３９の重なり部分に、保持棒７１のフックを固定する。保持棒７１は可分割商品陳列台８の表面側に突出する。商品７３のケース上部に空いた穴を保持棒７１に通して、商品を吊り下げ状態で展示する。本実施例では、一の保持棒に３個の商品が吊り下げられる。
【００４０】
図３などを参照して、第一の可分割商品陳列台８は脚部６７を脚折り曲げ線６７１で折り曲げて、固定板貫通穴６７２に脚固定板６８を係止して、脚部６７を開いて固定することができる。この状態で第一の可分割商品陳列台８は自立する。図示しないが、長尺の第一商品陳列台２も同様な脚部と脚固定機構を備えており、自立が可能である。
【００４１】
また、第一の可分割商品陳列台８や第一商品陳列台２は、補強部材の上部に吊り下げ紐受け穴９１を有し、この受け穴９１に吊り下げ紐を通して、紐により懸垂が可能である。
【００４２】
図４、図５などを参照して、第一の可分割商品陳列台８は、ＰＯＰ領域３６と４個の吊り下げ棒７２を有する。このため、通常、４種類の商品が展示可能である。また、長尺の第一商品陳列台２は、ＰＯＰ領域３７と４個の吊り下げ棒７２を有する。このため、通常、４種類の商品が展示可能である。
【００４３】
図４のように、可分割商品陳列台８と第一商品陳列台２を横に並べて店頭に陳列することができる。さらに、第一商品陳列台２と第二商品陳列台４を連結して、第二の可分割商品陳列台９とすることができる。このようにすれば、８種の商品を単一の商品陳列台上に展示することができる。そしてＰＯＰ領域の重複が無くなる。必ずしも全ての商品陳列台を廃棄することなく、商品種類の増大に対応することができる。
【００４４】
以下に、第一受容管（または第一補強部材）と第二差込み部（または第二補強部材）の構成などについて説明する。具体的には、短尺の第一商品陳列部材１と第二商品陳列台４について説明する。短尺の第一商品陳列部材１に関する第一受容管などの構造は、長尺の第一商品陳列部材２に関する第一受容管などの構造と同様である。
【００４５】
図６は第一表基材１１の平面図であり、図７は第一裏基材２１の平面図である。図７（及び図９）中に示した矢印９４は左右方向を示し、右を矢９５で示している。
【００４６】
第一裏基材２１から作られる第一商品陳列台１は、左第一補強部材１４１と右第一補強部材１４２の２つの補強部材を有している。すなわち、左第一受容管１５１と右第一受容管１５２を有することになる。
【００４７】
第一裏基材２１は、中央部にある第一貼付け部２２の左側に、中央部から左方向に順に、左第一折り曲げ線２３１、左第一外面壁部２４１、左第二折り曲げ線２５１、左第一内面壁部２６１、左第三折り曲げ線２７１、左第一底面壁部２８１と左第一底面壁端辺２９１を有している。
【００４８】
第一貼付け部２２の一方表面を第一表基材１１の裏面に貼付け、左第一折り曲げ線２３１、左第二折り曲げ線２５１と左第三折り曲げ線２７１を折り曲げて、左第一底面壁端辺２９１を左第一折り曲げ線２３１に当接しつつ第一貼付け部２２の他方表面に左第一底面壁部を貼付ける。これにより左第一補強部材１４１が形成される。折り曲げと貼付けの状態に関しては、図１２の左側図示を参照できる。
【００４９】
また、第一裏基材２１は、中央部にある第一貼付け部２２の右側に、中央部から右方向に順に、右第一折り曲げ線２３２、右第一外面壁部２４２、右第二折り曲げ線２５２、右第一内面壁部２６２、右第三折り曲げ線２７２、右第一底面壁部２８２と右第一底面壁端辺２９２を有している。
【００５０】
第一貼付け部２２の一方表面を第一表基材の裏面に貼付けた後、左側と同様に、右第一折り曲げ線２３２、右第二折り曲げ線２５２と右第三折り曲げ線２７２を折り曲げて、右第一底面壁端辺２９２を右第一折り曲げ線２３２に当接しつつ第一貼付け部の他方表面に第一底面壁部を貼付ける。これにより右第一補強部材１４２が形成される。
【００５１】
以上のように、第一底面壁端辺を第一折り曲げ線に当接し貼り付けるだけの比較的容易な組み立て操作で、内面断面大きさが一定した第一補強部材を製作することができる。また、左第一補強部材と右第一補強部材間の間隔は、第一貼付け部２２の間隔に依存するので、製作作業時に当該間隔が組み立て誤差を持つことがない。
【００５２】
脚部６７は第一表基材１１に貼り付けることなく遊離状態に保持される。
【００５３】
図８は第二表基材４１の平面図であり、図９は第二裏基材５１の平面図である。
【００５４】
第二裏基材５１から作られる第二商品陳列台４は、左第二補強部材４４１と右第二補強部材４４２の２つの補強部材を有している。すなわち、左第二差込み部４６１と右第二差込み部４６２を有することになる。
【００５５】
第二裏基材５１は、中央部にある第二貼付け部５２の左側に、中央部から左方向に順に、左第四折り曲げ線５３１、左第二外面壁部５４１、左第五折り曲げ線５５１、左第二内面壁部５６１、左第六折り曲げ線５７１、左第二底面壁部５８１と左第二底面壁端辺５９１を有している。
【００５６】
第二貼付け部５２の一方表面を第二表基材４１の裏面４３に貼付け、左第四折り曲げ線５３１、左第五折り曲げ線５５１と左第六折り曲げ線５７１を折り曲げて、左第二底面壁端辺５９１を左第四折り曲げ線５３１に当接しつつ第二貼付け部５２の他方表面に左第二底面壁部５８１を貼付ける。これにより左第二補強部材４４１が形成される。折り曲げと貼付けの状態に関しては、図１２の右側図示を参照できる。
【００５７】
また、第二裏基材５１は、中央部にある第二貼付け部５２の右側に、中央部から右方向に順に右第四折り曲げ線５３２、右第二外面壁部５４２、右第五折り曲げ線５５２、右第二内面壁部５６２、右第六折り曲げ線５７２、右第二底面壁部５８２と右第二底面壁端辺５９２を有している。
【００５８】
第二貼付け部５２の一方表面を第二表基材の裏面４３に貼付けた後、左側と同様に、右第四折り曲げ線５３２、右第五折り曲げ線５５１と右第六折り曲げ線５７２を折り曲げて、右第二底面壁端辺５９２を右第四折り曲げ線５３２に当接しつつ第二貼付け部５２の他方表面に右第二底面壁部５８２を貼付ける。これにより右第二補強部材４４２が形成される。
【００５９】
以上のように、第二底面壁端辺を第四折り曲げ線に当接し貼り付けるだけの比較的容易な組み立て操作で、外面断面大きさが一定した第二補強部材を製作することができる。また、左第二補強部材と右第二補強部材間の間隔は、第二貼付け部５２の間隔に依存するので、製作作業時に当該間隔が組み立て誤差を持つことがない。
【００６０】
図１２などを参照して、第一受容管と第二差込み部の高さの関係を説明する。図１２左側に図示した三角形３２は第一受容管の内側断面である。第二差込み部の底面が載る面は第一底面壁部２８２の表面３３となる。
【００６１】
第一表基材１１の表面１２と第二差込み部が載る面との間隔は矢印３０で示す距離となる。すなわち、第一表面基材１１の厚さと、第一裏基材２枚分の厚さの合計値である。
【００６２】
一方、図１２右側に、第二差込み部の外側断面を仮想三角形６２で示している。第一受容管に第二差込み部が挿嵌されると、第二貼付け部５２の下面５２６が断面三角形３２の底辺と接することになる。
【００６３】
第二表面基材４１の表面４２と下面５２６の間隔は矢印６０で示す距離となる。すなわち、第二表基材４１の厚さと、調整板６１が２枚分の厚さの合計値である。
【００６４】
換言すれば、第一表基材と第二表基材が同一厚さの板状体で作られ、第一裏基材と第二裏基材は同一厚さの板状体で作られていて、かつ、第二表基材と第二貼付け部の間に、第一裏基材と同一厚さの板状体で製作した２の調整板を重ねて貼付けると、可分割商品陳列台８の表面が面一となる。
【００６５】
本実施例にかかる調整板６１の平面形状を図１１に示している。調整板６１は第一裏基材２１と同一素材の厚紙から切り出して製作した。
【００６６】
図１３などを参照して、第一補強部材の下端１８の端面１８６と第一表基材１１の裏面１３が作る角度ｄ１は、通常３０度以上８０度以下であり、より好ましくは４５度以上７０度以下である。ここで角度ｄ１は２つの平面が作る２つの交角のうちで角度の値が小さいほうの角度を意味する。
【００６７】
第二差込み部の上端４８の端面４８６と第二表基材４１の裏面４３を延長した平面が作る角度ｄ２は、通常３０度以上８０度以下であり、より好ましくは４５度以上７０度以下である。ここで角度ｄ２は２つの平面が作る２つの交角のうちで角度の値が小さいほうの角度を意味する。
【００６８】
ｄ１とｄ２が上記の範囲にあると、第一受容管と第二差込み部の挿嵌が容易となる。また、第一商品陳列台に脚を付けて自立させる場合（例えば長尺の第一商品陳列台２の場合）には、ｄ１を８０度以下にすれば、後ろに傾いた状態での自立状態となる。そして、前向きに倒れることが防がれる。
【００６９】
本実施例において、挿嵌により連結した可分割商品陳列台８は、閂機構により固着している。第一受容管には閂穴３４１と３４２を設けている。第二差込み部には閂受け６４１、６４２を設けている。
【００７０】
また、第二裏基材５１には閂保持板６５を設け、閂保持板６５は閂折り曲げ線６５１を境にして回動する。閂保持板６５には、さらに閂板６６が貼付けられる。
【００７１】
第一受容管に第二差込み部を挿嵌して第一表基材と第二表基材が突き当たる位置は、閂穴と閂受けが一致する位置である。この状態で、閂保持板を回動し、閂板の左右端部を閂穴に押し込む。これにより、挿嵌状態が固定される。
【００７２】
以上説明した本発明はその要旨を変更することなく種々に変形して実施できる。例えば、商品陳列の機構は保持棒に限られるものではなく、例えば、箱状の商品受け部を設けたものであってもよい。第一商品陳列台に商品を陳列してもよいし、また、第二商品陳列台にＰＯＰ領域を設けてもよい。
【００７３】
さらに３以上の商品陳列台を同様に連結してもよい。例えば３の商品陳列台を連結する場合に、中央に配置される商品陳列台は、上下の両端部に２の受容管を備えてもよく、２の差込み部を備えてもよく、単一の受容管と単一の差込み部を備えてもよい。
【図面の簡単な説明】
【００７４】
【図１】第一の可分割商品陳列台８の裏面側から見た分解斜視図である。
【図２】第一の可分割商品陳列台８の側面説明図である。
【図３】脚部６７を開いて自立状態にある第一の可分割商品陳列台８の側面説明図である。
【図４】第一の可分割商品陳列台８と長尺第一商品陳列台２の正面図である。
【図５】第二の可分割商品陳列台９の正面図である。
【図６】第一表基材１１の平面図である。
【図７】第一裏基材２１の平面図である。
【図８】第二表基材４１の平面図である。
【図９】第二裏基材５１の平面図である。
【図１０】閂板６６の平面図である。
【図１１】調節板６１の平面図である。
【図１２】第一受容管と第二差込み部の高さの関係を説明するための模式図である。
【図１３】第一受容管の下端と第二差込み部の上端を説明する断面図である。
【符号の説明】
【００７５】
１    短尺の第一商品陳列台
２    長尺の第一商品陳列台
４    第二商品陳列台
８    第一の可分割商品陳列台
９    第二の可分割商品陳列台
１１  第一表基材
２１  第一裏基材
４１  第二裏基材
５１  第二裏基材
７１  保持棒
７３  商品
１４１  左第一補強部材
１４２  右第一補強部材
１５１  左第一受容管
１５２  右第一受容管
４４１  左第二補強部材
４４２  右第二補強部材
４６１  左第二差込み部
４６２  右第二差込み部
【図１】
2010125031.tif 000003
【図２】
2010125031.tif 000004
【図３】
2010125031.tif 000005
【図４】
2010125031.tif 000006
【図５】
2010125031.tif 000007
【図６】
2010125031.tif 000008
【図７】
2010125031.tif 000009
【図８】
2010125031.tif 000010
【図９】
2010125031.tif 000011
【図１０】
2010125031.tif 000012
【図１１】
2010125031.tif 000013
【図１２】
2010125031.tif 000014
【図１３】
2010125031.tif 000015